(57)【特許請求の範囲】
【請求項１】
内周壁と外周壁を有して上端側を雄とし下端側を雌とする挿入式の連結手段を備えた金属製の煙突構成部材を複数連結してなる二重煙突を挿通させながら屋根煙突貫通部に配置したキャップ型フラッシングの開口部を上から覆うようにして平面視ドーナツ状に形成された金属製の傘体を煙突外周側に設けることにより、前記煙突外周面を伝って落ちる雨水が前記キャップ型フラッシングの内部に侵入するのを防止する雨仕舞カラーにおいて、
前記傘体は、下部側に前記傘体よりも下方の前記煙突構成部材の上端側が連結可能な連結手段を有し上部側に前記傘体よりも上方の前記煙突構成部材の下端側が連結可能な連結手段を有した円筒状部材であるアダプタ体の外周面から遠心方向に延設されて該アダプタ体と一体とされており、上下の前記煙突構成部材間に前記アダプタ体を連結することにより設けられる、ことを特徴とする雨仕舞カラー。
【請求項２】
前記傘体は、その内周側を前記アダプタ体外周面に溶接または前記アダプタ体と一体的に成形することにより、前記アダプタ体とともに１部品を構成している、ことを特徴とする請求項１に記載した雨仕舞カラー。
【請求項３】
前記アダプタ体を上下に貫通するネジ孔が前記上端面に複数開口して設けられており、前記複数のネジ孔を介して下側に連結した前記傘体よりも下方の前記煙突構成部材の上端側にネジ止めにて固定される、ことを特徴とする請求項１または２に記載した雨仕舞カラー。
【請求項４】
前記アダプタ体には、前記傘体を延設した部分の下方で前記傘体よりも下方の前記煙突構成部材の上端面に密着して当接するドーナツ状の底面が形成されており、該底面の内周側端縁部から前記下方の煙突構成部材の内径と外径が略一致する所定長さの円筒状の前記連結手段が下向きに延設されており、該連結手段を前記下方の煙突構成部材の上端側開口部に挿入することにより連結される、ことを特徴とする請求項１，２または３に記載した雨仕舞カラー。
【請求項５】
前記アダプタ体上部の前記傘体よりも上方の前記煙突構成部材の下端側に挿入する前記連結手段には、前記上方の煙突構成部材の下端側に形成され回転により垂直方向の脱抜を不能にする係合構造の一方に対し該係合構造の他方になる構造が設けられており、前記上方の煙突構成部材への連結により垂直方向の脱抜が不能な状態で係合する、ことを特徴する請求項１，２，３または４に記載した雨仕舞カラー。
【請求項６】
前記アダプタ体は、前記傘体を設けた部分の上方又は／及び下方位置で、前記傘体よりも上方の前記煙突構成部材又は／及び前記傘体よりも下方の前記煙突構成部材に連結した状態で前記上方の煙突構成部材の下端側又は／及び前記下方の煙突構成部材の上端側に周方向に亘って形成された突条に接するように所定幅の突条が周方向に亘って形成されており、前記煙突構成部材の突条とともにロッキングバンドの内周側陥凹部に嵌め込まれて固定されることにより連結状態が補強される、ことを特徴とする請求項１，２，３，４または５に記載した雨仕舞カラー。        
【発明の詳細な説明】
【技術分野】
【０００１】
本発明は、煙突外周面を伝う雨水が屋根煙突開口部から屋内に侵入するのを防止するための雨仕舞カラー（ストームカラー）に関し、殊に、二重煙突が貫通する傾斜屋根開口部に配置したキャップ型フラッシングの開口部を上から覆うように煙突外周に設けられる雨仕舞カラーに関する。  
【背景技術】
【０００２】
ストーブ等の燃焼装置から延設された煙突を屋外に導く方式として、屋根を直接貫通させる屋根抜き方式が周知であるが、この方式は吸い込み作用によるドラフト効果で壁抜き方式と比べて着火・燃焼がスムースであるため、古くから広く普及している。しかし、この屋根抜き方式では、屋根煙突開口部を介した雨漏りが生じやすくなることから、壁抜き方式の場合よりも充分な防水対策を講じることが必要になる。
【０００３】
そのため、例えば特開２００９−１０２７９９号公報に記載され、図９に示す屋根煙突貫通部の防水構造（縦断面図）のように、上面に防水シート１１を設けた野路板１０に煙突１を通過させるための開口部１２を設け、この部分に傾斜した屋根面に対し平行に配置される平板状の導水板３２とその中央で開口した孔の周縁部から円錐台状に立ち上がり上端側が開口した周壁３１からなるキャップ型フラッシング３０を配設することが行われている。
【０００４】
この場合、屋根上に露出した煙突１の外周面を伝う雨水が屋内に侵入するのを回避するために、キャップ型フラッシング３０の開口部３３上方で外面を円錐台状に形成した傘体を煙突構成部材１００外周面から遠心方向に突設してなる雨仕舞カラー２Ｅにより、キャップ型フラッシング３０の開口部３３を上から覆うのが一般的である。
【０００５】
この雨仕舞カラー２Ｅは、煙突１の施工時に煙突構成部材１００外周面の適宜位置にシーリング（コーキング）３６にて固定されることから、現場において比較的簡易な手順で設けることが可能である。ところが、このシーリング３６は経年により劣化して防水性が低下するため、雨仕舞カラー２Ｅと煙突構成部材１００との接合部を介し、雨水が屋内に侵入して雨漏りの原因になるという問題がある。
【先行技術文献】
【特許文献】
【０００６】
【特許文献１】特開２００９−１０２７９９号公報
【発明の概要】
【発明が解決しようとする課題】
【０００７】
本発明は、上記のような問題点を解決しようとするものであり、屋根煙突貫通部でキャップ型フラッシングの開口部を上から覆う雨仕舞カラーについて、煙突側への接続部分を介した雨漏りの発生を防止できるようにすることを課題とする。
【課題を解決するための手段】
【０００８】
そこで、本発明は、内周壁と外周壁を有して上端側を雄とし下端側を雌とする挿入式の連結手段を備えた金属製の煙突構成部材を複数連結してなる二重煙突を挿通させながら屋根煙突貫通部に配置したキャップ型フラッシングの開口部を上から覆うようにして平面視ドーナツ状に形成された金属製の傘体を煙突外周側に設けることにより、煙突外周面を伝って落ちる雨水がキャップ型フラッシングの内部に侵入するのを防止する雨仕舞カラーにおいて、その傘体は、その下部側に傘体よりも下方の煙突構成部材の上端側が連結可能な連結手段を有しその上部側に傘体よりも上方の煙突構成部材の下端側が連結可能な連結手段を有した円筒状部材であるアダプタ体の外周面から遠心方向に延設されてこのアダプタ体と一体とされており、上下の煙突構成部材間にそのアダプタ体を連結することで設けられることを特徴とするものとした。
【０００９】
このように、二重煙突が屋根を貫通する部分に配置されるキャップ型フラッシングの開口部から雨水が浸入するのを防止するための雨仕舞カラーを、従来のように煙突外周側に平面視ドーナツ状の傘体をシーリングで固定して設けるのではなく、上下の煙突構成部材間にこれらと同様の連結手段を備えた円筒状のアダプタ体の外周面に傘体を設けてなる１つの部品として連結することにより設けるものとしたことで、煙突の連結部に容易に設けられることに加え、傘体の接続部分にシーリングを使わないことで、この部分を介した雨漏りの発生を防止可能なものとなる。
【００１０】
また、この雨仕舞カラーにおいて、その傘体は、その内周側をアダプタ体外周面に溶接またはアダプタ体と一体的に成形することにより、アダプタ体とともに１部品を構成していることを特徴としたものとすれば、傘体の接続部分を介した雨水の浸入を確実に防止できるものとなる。
【００１１】
さらに、上述した雨仕舞カラーにおいて、アダプタ体を上下に貫通するネジ孔がその上端面に複数開口して設けられており、その複数のネジ孔を介して下側に連結した傘体よりも下方の煙突構成部材の上端側にネジ止めにて固定される、ことを特徴としたものとすれば、ロッキングバンドを要することなく簡易な手順で下側の煙突構成部材に対して堅固に固定されるものとなる。
【００１２】
さらにまた、上述した雨仕舞カラーにおいて、そのアダプタ体には、傘体を延設した部分の下方で傘体よりも下方の煙突構成部材の上端面に密着して当接するドーナツ状の底面が形成されており、その底面の内周側端縁部から前記下方の煙突構成部材の内径と外径が略一致する所定長さの円筒状の連結手段が下向きに延設されており、この連結手段を前記下方の煙突構成部材の上端側開口部に挿入することにより連結されることを特徴としたものとすれば、簡易な構成でコストを低廉に抑えながら充分なる機能を発揮できるものとなる。
【００１３】
加えて、上述した雨仕舞カラーにおいて、そのアダプタ体上部の傘体よりも上方の煙突構成部材の下端側に挿入する連結手段には、前記上方の煙突構成部材の下端側に形成され回転により垂直方向の脱抜を不能にする係合構造の一方に対しその係合構造の他方になる構造が設けられており、前記上方の煙突構成部材への連結により垂直方向の脱抜が不能な状態で係合することを特徴としたものとすれば、上側の煙突構成部材に対してネジ止めによらなくとも堅固な状態で連結できるものとなる。
【００１４】
また加えて、上述した雨仕舞カラーにおいて、そのアダプタ体は、傘体を設けた部分の上方又は／及び下方位置で、傘体よりも上方の煙突構成部材又は／及び傘体よりも下方の煙突構成部材に連結した状態で前記上方の煙突構成部材の下端側又は／及び前記下方の煙突構成部材の上端側に周方向に亘って形成された突条に接するように所定幅の突条が周方向に亘って形成されており、煙突構成部材の突条とともにロッキングバンドの内周側陥凹部に嵌め込まれて固定されることにより連結状態が補強されることを特徴としたものとすれば、煙突構成部材に対する連結が一層堅固なものとなる。
【発明の効果】
【００１５】
アダプタ体の外周に傘体を一体的に有して上下の煙突構成部材間に連結することにより設けるものとした本発明によると、過大な手間やコストを要することなく、煙突側への接続部分を介した雨漏りの発生を防止できるものである。
【図面の簡単な説明】
【００１６】
【図１】本発明における実施の形態の雨仕舞カラーの正面図である。
【図２】図１の雨仕舞カラーの斜視図である。
【図３】図１の雨仕舞カラーの縦断面図である。
【図４】図１の雨仕舞カラーを煙突構成部材に連結する手順を説明するための斜視図である。
【図５】図１の雨仕舞カラーを上下の煙突構成部材間に連結して配設した状態を示す部分縦断面図である。
【図６】図１の雨仕舞カラーの応用例を示す縦断面図である。
【図７】図６の雨仕舞カラーの変形例を示す縦断面図である。
【図８】（Ａ）は図１の雨仕舞カラーの他の応用例を示す正面図であり、（Ｂ）は（Ａ）の雨仕舞カラーを下側の煙突構成部材に連結した場合において雨漏り防止機能をさらに高めるための推奨例を示す部分正面図である。
【図９】従来例を示す部分縦断面図である。
【発明を実施するための形態】
【００１７】
以下に、図面を参照しながら本発明を実施するための形態を説明する。
【００１８】
図１は本実施の形態の雨仕舞カラー２Ａの正面図を示している。この雨仕舞カラー２Ａは、ステンレス鋼板等の金属板から作成され、大きく分けて上下の煙突構成部材間に連結するための構造を備えた円筒状のアダプタ体４Ａと、キャップ型フラッシングの開口部を上から覆うために金属板を外面円錐台状に形成してなる傘体３とからなるものである。
【００１９】
そして、従来例において雨仕舞カラー（傘体）が煙突構成部材の外周にシーリング等で固定されていたことで雨漏りの原因になっていたのに対し、本発明においては、傘体３が短尺の円筒状部材からなるアダプタ体４Ａ外周面に溶接等により固定されて一体的に設けられ、傘体３とアダプタ体４Ａとで１部品を構成している点が特徴部分となっている。
【００２０】
そのアダプタ体４Ａは、内周壁と外周壁との間に隙間を有して上端側と下端側の両方を雄とした挿入式の連結手段を備えている２本の煙突構成部材間に傘体３を配設するための手段であり、その下部側に傘体３よりも下方の煙突構成部材の上端側に連結可能な連結手段としての雄部７Ａを有し、上部側には傘体３よりも上方の煙突構成部材の下端側が連結可能な連結手段としての雄部５を有しており、雄部７Ａと雄部５との間に煙突構成部材の外径と同等の外径を有して傘体３を設ける部分となる中間部６を有している。
【００２１】
その雄部５は、連結する煙突構成部材の上端側の連結手段とほぼ同一の構造を有しており、挿入された傘体３よりも上方の煙突構成部材の下端側端縁部が当接してストッパとなる突条８が周方向に亘り遠心方向に突出して形成されている。一方、雄部７Ａは、連結する煙突構成部材の下端側の連結手段と同一の構成ではなく、図に破線で示したように中間部６の下端側で傘体３よりも下方の煙突構成部材の上端面に当接するように形成されたドーナツ状の底面６ａの内周側端縁部から下向きに延設され外径が前記下方の煙突構成部材の内径と略一致する円筒状の連結手段としたことにより、コストを低廉に抑えながら充分なる連結機能を発揮可能なものとなる。
【００２２】
図２は本実施の形態である雨仕舞カラー２Ａの斜視図を示しており、その雄部５の上端面５ａには、４つのネジ孔５１，５２，５３，５４が等間隔で穿設され、図３の縦断面図に示すように、これらの下方位置で中間部６の底面６ａにもネジ孔６１，６２，６３，６４（ネジ孔６１，６３は図に表れない）が穿設されて、アダプタ体４Ａを上端面５ａから底面６ａまで上下に貫通しており、これらのネジ孔を介しながら下側に連結した煙突構成部材の上端側にネジ止めで固定されるものとされており、この点も本実施の形態の特徴部分となっている。
【００２３】
図４は、斯かる構成の雨仕舞カラー２Ａを煙突構成部材１００に連結する手順を説明するための部分斜視図であり、屋根煙突貫通部において図示しないキャップ型フラッシングの開口部から僅かに突出して配置された煙突構成部材１００先端側の連結手段部１１０の上端面１１０ａに、図示しない円筒状の雄部７Ａを挿入しながらその底面６ａを重ねた状態にする。
【００２４】
そして、上端面５ａに開口したネジ孔５１，５２，５３，５４からネジ８０，８０，８０，８０を各々挿入し、その先端側を煙突構成部材１００の上端面１１０ａに螺入してネジ止めする。このようにして、雨仕舞カラー２Ａは簡単な手順で下側の煙突構成部材１００に堅固な状態で固定される。尚、図では煙突構成部材１００の上端面１１０ａにネジを螺入するための小孔を設けた状態としているが、ネジ８０の先端がドリル状である場合は、小孔がなくても螺入動作によりネジ孔が形成される。
【００２５】
図５は、本実施の形態の雨仕舞カラー２Ａを、上下の煙突構成部材１００，１００間に連結・固定して設置した状態の縦断面図を示している。雨仕舞カラー２Ａを下側の煙突構成部材１００先端側に連結してネジ止めにて固定した後、雨仕舞カラー２Ａの雄部５をその上方で支持した煙突構成部材１００下端側の連結手段部１２０に挿入することで連結される。
【００２６】
この場合、煙突構成部材１００の下端側端縁部で周方向に亘って形成した突条１４０の下端側が、アダプタ体４Ａの雄部５の中間部６側で周方向に亘って遠心方向に突出して形成した突条８の上端側に当接した状態で並列する。そして、この並列した突条１４０，８を、図９で示したロッキングバンド６０の内周側陥凹部に嵌め込むように中心方向に向かって締め込みながら固定することにより、連結状態が堅固なものとなる。
【００２７】
このように、本実施の形態の雨仕舞カラー２Ａは、比較的容易な手順によりキャップ型フラッシングの開口部を上から覆う状態で上下の煙突構成部材１００，１００間に配設され、その固定状態が堅固かつ安定的であることに加え、傘体３がアダプタ体４Ａに対し溶接等で一体的に接続されているために、その接続部分を介して雨水が浸入することが回避され、雨漏りが生じないようになっている。尚、傘体３をアダプタ体４Ａに一体的に設ける手段としては、溶接することの他に、１枚の鋼板からアダプタ体４Ａ外周側と傘体３とを一体的に成形することによっても可能である。
【００２８】
図６は、上述した雨仕舞カラー２Ａの応用例であって、そのアダプタ体４Ｂの雌部７Ｂが、煙突構成部材１００の雌側の連結手段部１２０と同様に内周壁７３と外周壁７４とで二重壁を形成して底面６ａのない構成とした点を特徴とする雨仕舞カラー２Ｂを示している。この場合、内周壁７３の中間部６側に繋がる部分に段差７３ａが形成されており、煙突構成部材１００の連結手段部１１０の先端がこの段差７３ａに当接して、その位置で挿入が停止するようになっている。このような構成としても前述と同様の手順で容易に設けられ、前述と同様の機能を発揮することができる。
【００２９】
図７は、前述した雨仕舞カラー２Ｂの変形例であって、その内周壁７３を図１の雨仕舞カラー２Ａの雄部７Ａと同程度の長さに延長してなる内周壁７５としたことを特徴とする雨仕舞カラー２Ｃを示している。このように、雌部７Ｃの内周壁７５を長尺にしたことで、様々な連結構造の煙突構成部材の先端側に対応しながらしっかりと連結しやすいものとなる。
【００３０】
図８（Ａ）は、上述した雨仕舞カラー２Ａの他の応用例であって、前述の雨仕舞カラー２Ｂにおいて外面円錐台状の立体的に形成した傘体３を、平面的なドーナツ板状に形成した傘体３Ｄとした点を特徴としている。この傘体３Ｄは、アダプタ体４Ｄの中間部６に溶接または一体成形にて設けたものであるが、このようにしても前述した実施の形態と同様に、煙突外周面を伝って落ちる雨水がキャップ型フラッシングの内側に侵入することを防止することができる。
【００３１】
また、この例では、アダプタ体４Ｄの雄部５に形成した突条８と同様の形状からなる突条９が雌部７Ｄ下端側にも形成されており、挿入した煙突構成部材１００の突条１３０（図５参照）とともにロッキングバンド６０の内周側陥凹部に嵌め込んで締め込むことにより、上下の連結状態を補強できるようになっている。
【００３２】
図８（Ｂ）は、この雨仕舞カラー２Ｄを下側の煙突構成部材１００に連結した場合において、雨漏り防止機能をさらに高めるための推奨例を示している。即ち、この雨仕舞カラー２Ｄの傘体３Ｄは、キャップ型フラッシング開口部の外径よりも外径の大きなドーナツ状で平板状の部材からなり、煙突外周面を伝って落ちる雨水及び垂直に落下する雨粒がキャップ型フラッシングの内部に侵入することを防止できるものであるが、側方からキャップ型フラッシング開口部に吹き込んで雨水が侵入することについては、充分に防止することができない。
【００３３】
そこで、図９で示した従来の雨仕舞カラー２Ｅを、アダプタ体４Ｄの傘体３Ｄ下方でシーリング３６にて固定して、側方から雨水が吹き込んで進入することを防止可能としたものであり、雨漏り防止機能を完全にする観点から斯かる構成が推奨されるところである。この場合、雨仕舞カラー２Ｅをアダプタ部材４Ｄ外周面に接続しているシーリング３６は経年により劣化して防水性が低下するが、煙突外周面を伝う雨水は傘体３Ｄにより雨仕舞カラー２Ｅの傾斜した部分の上方またはその外周側の上方に導かれるため、その接続部分から雨水が浸入する心配はない。
【００３４】
尚、煙突構成部材の種類によっては、その雄側の連結手段部と雌側の連結手段部の外周面に、挿入してから所定角度回転させることで垂直方向の脱抜を不能な状態にする一対の係合構造が形成されている場合がある。そこで、これら応用例及び前述した実施の形態においても、少なくともそのアダプタ体４Ａ，４Ｂ，４Ｃ，４Ｄの雄部５外周面に、煙突構成部材下端側に形成された係合構造に対し係合可能な構造を設けておくことにより、上側の煙突構成部材との連結状態を一層堅固にすることができる。
【００３５】
以上、述べたように、屋根煙突貫通部でキャップ型フラッシングの開口部を覆う雨仕舞カラーについて、本発明により、過大な手間やコストを要することなく、煙突側への接続部分を介した雨漏りを回避可能な状態で容易に設けられるものとなった。
【符号の説明】
【００３６】
１  煙突、２Ａ，２Ｂ，２Ｃ，２Ｄ  雨仕舞カラー、３，３Ｄ  傘体、４Ａ，４Ｂ，４Ｃ，４Ｄ  アダプタ体、５，７Ａ  雄部、５ａ  上端面、６  中間部、６ａ  底面、７Ｂ，７Ｃ，７Ｄ  雌部、８，９，  突条、３０  キャップ型フラッシング、３３  開口部、５１，５２，５３，５４，６１，６２，６３，６４  ネジ孔、６０  ロッキングバンド、８０  ネジ、１００  煙突構成部材、１１０，１２０  連結手段部
【図１】
0005599258.tif 000002
【図２】
0005599258.tif 000003
【図３】
0005599258.tif 000004
【図４】
0005599258.tif 000005
【図５】
0005599258.tif 000006
【図６】
0005599258.tif 000007
【図７】
0005599258.tif 000008
【図８】
0005599258.tif 000009
【図９】
0005599258.tif 000010